(57)【要約】【課題】基地局とユーザ装置との間のセカンダリセルの状態不一致を早期に解消するための技術を提供すること。【解決手段】本発明の一態様は、ユーザ装置と無線信号を通信する信号送受信部と、前記無線信号を通信するため前記ユーザ装置に割り当てられるプライマリセルと１以上のセカンダリセルとを管理するセル管理部と、前記ユーザ装置から受信したフィードバック情報が有効であるか判定する有効性判定部とを有する基地局であって、前記セル管理部は、前記ユーザ装置に設定されたセカンダリセルをアクティブ状態に遷移するよう前記ユーザ装置に指示したことに応答して前記セカンダリセルがアクティブ化されたと判断すると、前記セカンダリセルからのフィードバック情報を監視し、前記有効性判定部によって有効と判定されたフィードバック情報を所定の期間内に受信しなかった場合、前記セカンダリセルが非アクティブ状態であると判断する基地局に関する。【選択図】図６
2014053726.tif 000002
【特許請求の範囲】
【請求項１】
ユーザ装置と無線信号を通信する信号送受信部と、
前記無線信号を通信するため前記ユーザ装置に割り当てられるプライマリセルと１以上のセカンダリセルとを管理するセル管理部と、
前記ユーザ装置から受信したフィードバック情報が有効であるか判定する有効性判定部と、
を有する基地局であって、
前記セル管理部は、前記ユーザ装置に設定されたセカンダリセルをアクティブ状態に遷移するよう前記ユーザ装置に指示したことに応答して前記セカンダリセルがアクティブ化されたと判断すると、前記セカンダリセルからのフィードバック情報を監視し、前記有効性判定部によって有効と判定されたフィードバック情報を所定の期間内に受信しなかった場合、前記セカンダリセルが非アクティブ状態であると判断する基地局。
【請求項２】
前記有効性判定部は、前記信号送受信部において受信される前記フィードバック情報の受信電力状態に基づき、前記フィードバック情報が有効であるか判定する、請求項１記載の基地局。
【請求項３】
前記セル管理部は、前記ユーザ装置に設定されたセカンダリセルをアクティブ状態に遷移するよう前記ユーザ装置に指示したことに応答して前記ユーザ装置から送達確認を受信したこと、或いは当該指示を行ったことによって、前記セカンダリセルがアクティブ化されたと判断する、請求項１又は２記載の基地局。
【請求項４】
前記セル管理部は、前記セカンダリセルが非アクティブ状態であると判断した場合に、前記セカンダリセルに対して管理している非アクティブ化タイマを停止する、請求項１又は２記載の基地局。
【請求項５】
前記セル管理部は、前記セカンダリセルが非アクティブ状態であると判断した場合に、前記セカンダリセルに対してアクティブ化の指示を再度行う、請求項１又は２記載の基地局。
【請求項６】
前記セル管理部は、前記セカンダリセルが非アクティブ状態であると判断した場合に、前記セカンダリセルに対して非アクティブ化の指示を行う、請求項１又は２記載の基地局。
【請求項７】
前記基地局は、キャリアアグリゲーションを用いて前記ユーザ装置と通信し、
前記プライマリセルは、前記ユーザ装置との通信接続を維持するためのセルであり、
前記セカンダリセルは、前記プライマリセルに追加して割り当てられるセルである、請求項１乃至６何れか一項記載の基地局。
【請求項８】
ユーザ装置と、
前記ユーザ装置と通信接続する基地局と、
を有する無線通信システムであって、
前記基地局は、
前記ユーザ装置と無線信号を通信する信号送受信部と、
前記無線信号を通信するため前記ユーザ装置に割り当てられるプライマリセルと１以上のセカンダリセルとを管理するセル管理部と、
前記ユーザ装置から受信したフィードバック情報が有効であるか判定する有効性判定部と、
を有する基地局であって、
前記セル管理部は、前記ユーザ装置に設定されたセカンダリセルをアクティブ状態に遷移するよう前記ユーザ装置に指示したことに応答して前記セカンダリセルがアクティブ化されたと判断すると、前記セカンダリセルからのフィードバック情報を監視し、前記有効性判定部によって有効と判定されたフィードバック情報を所定の期間内に受信しなかった場合、前記セカンダリセルが非アクティブ状態であると判断する無線通信システム。
【請求項９】
プライマリセルと１以上のセカンダリセルとを介しユーザ装置と通信接続する基地局における方法であって、
前記ユーザ装置に設定されたセカンダリセルをアクティブ状態に遷移するよう前記ユーザ装置に指示するステップと、
前記指示に応答してアクティブ化されたと判断した前記セカンダリセルからのフィードバック情報を監視するステップと、
有効と判定されたフィードバック情報を所定の期間内に受信しなかった場合、前記セカンダリセルが非アクティブ状態であると判断するステップと、
を有する方法。
【発明の詳細な説明】
【技術分野】
【０００１】
本発明は、無線通信技術に関し、より詳細には、キャリアアグリゲーションを利用した無線通信に関する。
【背景技術】
【０００２】
現在、３ＧＰＰ（３ｒｄ  Ｇｅｎｅｒａｔｉｏｎ  Ｐａｒｔｎｅｒｓｈｉｐ  Ｐｒｏｊｅｃｔ）は、ＬＴＥ（Ｌｏｎｇ  Ｔｅｒｍ  Ｅｖｏｌｕｔｉｏｎ）の次世代の通信規格として、ＬＴＥ−Ａ（Ｌｏｎｇ  Ｔｅｒｍ  Ｅｖｏｌｕｔｉｏｎ−Ａｄｖａｎｃｅｄ）の標準化を進めている。ＬＴＥ−Ａシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーション技術では、ＬＴＥシステムによりサポートされている２０ＭＨｚの最大帯域幅を有するＬＴＥキャリア（コンポーネントキャリアとも呼ばれる）が基本コンポーネントとして利用され、これら複数のコンポーネントキャリアを同時に用いることによって、より広帯域な通信を実現することが図られている。
【０００３】
キャリアアグリゲーションでは、例えば、図１に示されるようなコンポーネントキャリアの配置が想定される。ケース１では、隣接する２０ＭＨｚの２つの帯域が、キャリアアグリゲーションによって４０ＭＨｚの帯域として利用可能になる。ケース１は、２０ＭＨｚより大きな連続する帯域を確保可能なケースなどに効果的に用いられ、ＬＴＥシステムとのバックワードコンパチビリティを確保しつつ、ＬＴＥシステムを上回るスループットを実現することができる。ケース２では、離間した１０ＭＨｚの２つの帯域が、キャリアアグリゲーションによって２０ＭＨｚの帯域として利用可能になる。ケース２は、事業者への周波数帯域の割当てが断片的である場合などに効果的に用いられ、ＬＴＥシステムとのバックワードコンパチビリティを確保しつつ、ＬＴＥシステムを上回るスループットを実現することができる。
【０００４】
キャリアアグリゲーションでは、ユーザ装置（Ｕｓｅｒ  Ｅｑｕｉｐｍｅｎｔ：ＵＥ）は、複数のコンポーネントキャリアを同時に用いて基地局（ｅｖｏｌｖｅｄ  ＮｏｄｅＢ：ｅＮＢ）と通信することが可能である。キャリアアグリゲーションでは、ユーザ装置との接続性を担保する信頼性の高いプライマリセル（Ｐｒｉｍａｒｙ  Ｃｅｌｌ：Ｐｃｅｌｌ）と、プライマリセルに接続中のユーザ装置に追加的に設定されるセカンダリセル（Ｓｅｃｏｎｄａｒｙ  Ｃｅｌｌ：Ｓｃｅｌｌ）とが設定される。例えば、図１に示される具体例において、２つのコンポーネントキャリアの一方がプライマリセルに設定され、他方がセカンダリセルに設定されてもよい。
【０００５】
プライマリセルは、ＬＴＥシステムと同様のセルであり、ユーザ装置とネットワークとの間の接続性を担保するためのセルである。すなわち、プライマリセルでは、ユーザ装置は、ＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＤＳＣＨ（Ｐｈｙｓｉｃａｌ  Ｄｏｗｎｌｉｎｋ  Ｓｈａｒｅｄ  Ｃｈａｎｎｅｌ）を受信し、ＰＵＣＣＨ（Ｐｈｙｓｉｃａｌ  Ｕｐｌｉｎｋ  Ｃｏｎｔｒｏｌ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）及びＰＲＡＣＨ（Ｐｈｙｓｉｃａｌ  Ｒａｎｄｏｍ  Ａｃｃｅｓｓ  Ｃｈａｎｎｅｌ）を送信することが可能である。また、プライマリセルを変更する場合、ユーザ装置は、ハンドオーバを実行する必要がある。
【０００６】
他方、セカンダリセルは、プライマリセルに追加されてユーザ装置に設定されるセルである。セカンダリセルの追加及び削除は、ＲＲＣ（Ｒａｄｉｏ  Ｒｅｓｏｕｒｃｅ  Ｃｏｎｔｒｏｌ）のコンフィギュレーション（Ｃｏｎｆｉｇｕｒａｔｉｏｎ）により実行される。セカンダリセルでは、ユーザ装置は、ＰＵＣＣＨ及びＰＲＡＣＨを送信しない。また、セカンダリセルがユーザ装置に設定された直後は非アクティブ（ｄｅａｃｔｉｖａｔｅ）状態であり、ＭＡＣ（Ｍｅｄｉｕｍ  Ａｃｃｅｓｓ  Ｃｏｎｔｒｏｌ）レイヤにおいてアクティブ化（ａｃｔｉｖａｔｉｏｎ）することで始めて通信可能又はスケジューリング可能となる。このため、設定されたセカンダリセルを通信可能な状態、すなわち、スケジューリング可能な状態にするには、当該セカンダリセルをアクティブ状態に遷移させる必要がある。
【０００７】
現在検討されているＬＴＥ−Ａシステムでは、セカンダリセルをアクティブ状態及び非アクティブ状態に遷移させるため、図２に示されるように、基地局は、ＭＡＣレイヤにおいてＭＡＣ  ＣＥ（Ｃｏｎｔｒｏｌ  Ｅｌｅｍｅｎｔ）をユーザ装置に送信することによって、設定されたセカンダリセルをアクティブ化／非アクティブ化するようユーザ装置に指示する。ユーザ装置は、これら明示的な状態移行指示を受信すると、セカンダリセルを指示された状態に遷移させる。
【０００８】
また、セカンダリセルをアクティブ化するためのＭＡＣ  ＣＥを基地局から受信すると、ユーザ装置は、当該セカンダリセルをアクティブ化すると共に、Ｓｃｅｌｌ  Ｄｅａｃｔｉｖａｔｉｏｎ  Ｔｉｍｅｒを起動する。他方、基地局もまた、ＭＡＣ  ＣＥを送信したタイミングで、或いは、ユーザ装置からＭＡＣ  ＣＥに対する送達確認（ＡＣＫ）を受信すると、Ｓｃｅｌｌ  Ｄｅａｃｔｉｖａｔｉｏｎ  Ｔｉｍｅｒを起動する。すなわち、基地局とユーザ装置とが、各自のＳｃｅｌｌ  Ｄｅａｃｔｉｖａｔｉｏｎ  Ｔｉｍｅｒを保持し、アクティブ化された当該セカンダリセルの状態を管理する。Ｓｃｅｌｌ  Ｄｅａｃｔｉｖａｔｉｏｎ  Ｔｉｍｅｒの起動後、基地局が当該セカンダリセルにおいて新規無線リソースをユーザ装置にスケジューリングすると、基地局とユーザ装置とは、各自のＳｃｅｌｌ  Ｄｅａｃｔｉｖａｔｉｏｎ  Ｔｉｍｅｒを再起動する。その後、Ｓｃｅｌｌ  Ｄｅａｃｔｉｖａｔｉｏｎ  Ｔｉｍｅｒが満了するか、又は基地局から当該セカンダリセルを非アクティブ化するための明示的な状態移行指示を受信すると、ユーザ装置は、当該セカンダリセルを非アクティブ状態に遷移させる。基地局もまた、当該セカンダリセルに対して管理しているＳｃｅｌｌ  Ｄｅａｃｔｉｖａｔｉｏｎ  Ｔｉｍｅｒが満了するか、或いは、ユーザ装置から当該セカンダリセルを非アクティブ化したという通知を受信すると、当該セカンダリセルが非アクティブ化されたと判断し、当該セカンダリセルにおけるユーザ装置への無線リソースのスケジューリングをやめる。このようにして、基地局とユーザ装置との間でセカンダリセルのアクティブ状態／非アクティブ状態を一致させることが可能である。
【先行技術文献】
【非特許文献】
【０００９】
【非特許文献１】3GPP TS 36.300 V10.7.0 (2012-03)
【発明の概要】
【発明が解決しようとする課題】
【００１０】
しかしながら、図３に示されるように、設定されたセカンダリセルをアクティブ化するために基地局から送信されたＭＡＣ  ＣＥがユーザ装置に適切に受信されず、さらに基地局が、ノイズや干渉などによりこの送信したＭＡＣ  ＣＥに対してユーザ装置からＡＣＫを受信したと誤判定した場合（ＮＡＣＫ／ＤＴＸ→ＡＣＫ誤り）、ユーザ装置は当該セカンダリセルを非アクティブ状態に留める一方、基地局は当該セカンダリセルがアクティブ状態に遷移したと誤認することになる。すなわち、基地局とユーザ装置との間で当該セカンダリセルのアクティブ状態／非アクティブ状態の不一致が生じることになる。この場合、図３に示されるように、基地局は、当該セカンダリセルがアクティブ状態にあると誤認しているため、当該セカンダリセルの無線リソースをユーザ装置にスケジューリングすることになり、無線リソースが浪費されることになる。
【００１１】
このような基地局とユーザ装置との間のセカンダリセルの状態不一致は、Ｓｃｅｌｌ  Ｄｅａｃｔｉｖａｔｉｏｎ  Ｔｉｍｅｒの満了によって解消される。しかしながら、Ｓｃｅｌｌ  Ｄｅａｃｔｉｖａｔｉｏｎ  Ｔｉｍｅｒの満了までは当該状態不一致が継続し、当該セカンダリセルの無線リソースが浪費され続ける。これは、リソースセービングの観点から望ましくない。
【００１２】
また、移動局はアクティブ化したセカンダリセルに対してＣＳＩ（Ｃｈａｎｎｅｌ  Ｓｔａｔｅ  Ｉｎｆｏｒｍａｔｉｏｎ）をフィードバックすることが規定されている。ＣＳＩについては通常プライマリセルにおけるＰＵＣＣＨ（Ｐｈｙｓｉｃａｌ  Ｕｐｌｉｎｋ  Ｃｏｎｔｒｏｌ  Ｃｈａｎｎｅｌ）により基地局へフィードバックされるが、仮にＣＳＩの送信タイミングでＰＵＳＣＨ（Ｐｈｙｓｉｃａｌ  Ｕｐｌｉｎｋ  Ｓｈａｒｅｄ  Ｃｈａｎｎｅｌ）が割り当てられている場合には、当該ＰＵＳＣＨに対してＣＳＩをピギーバック（ｐｉｇｇｙ  ｂａｃｋ）することも規定されている。基地局と移動局との間でセカンダリセルの状態不一致が発生すると、基地局はＰＵＳＣＨ受信時にＣＳＩがピギーバックされていると想定して復号処理を行う一方で、移動局はピギーバックを行っていないため、適切なレートマッチングに基づいたＰＵＳＣＨ復号処理を行えず、正常な信号に復号することができないため、安定した通信を提供することができない。
【００１３】
上記問題点に鑑み、本発明の一課題は、基地局とユーザ装置との間のセカンダリセルの状態不一致を早期に解消するための技術を提供することである。
【課題を解決するための手段】
【００１４】
上記課題を解決するため、本発明の一態様は、ユーザ装置と無線信号を通信する信号送受信部と、前記無線信号を通信するため前記ユーザ装置に割り当てられるプライマリセルと１以上のセカンダリセルとを管理するセル管理部と、前記ユーザ装置から受信したフィードバック情報が有効であるか判定する有効性判定部とを有する基地局であって、前記セル管理部は、前記ユーザ装置に設定されたセカンダリセルをアクティブ状態に遷移するよう前記ユーザ装置に指示したことに応答して前記セカンダリセルがアクティブ化されたと判断すると、前記セカンダリセルからのフィードバック情報を監視し、前記有効性判定部によって有効と判定されたフィードバック情報を所定の期間内に受信しなかった場合、前記セカンダリセルが非アクティブ状態であると判断する基地局に関する。
【発明の効果】
【００１５】
本発明によると、基地局とユーザ装置との間のセカンダリセルの状態不一致を早期に解消することが可能になる。
【図面の簡単な説明】
【００１６】
【図１】図１は、キャリアアグリゲーションを概略的に示す図である。
【図２】図２は、Ｓｃｅｌｌ  Ｄｅａｃｔｉｖａｔｉｏｎ  Ｔｉｍｅｒの動作例を概略的に示す図である。
【図３】図３は、Ｓｃｅｌｌ  Ｄｅａｃｔｉｖａｔｉｏｎ  Ｔｉｍｅｒの状態不一致を概略的に示す図である。
【図４】図４は、本発明の一実施例によるＳｃｅｌｌの状態不一致を解消する処理を概略的に示す図である。
【図５】図５は、本発明の一実施例による無線通信システムを概略的に示す図である。
【図６】図６は、本発明の一実施例による基地局の構成を示すブロック図である。
【図７】図７は、本発明の一実施例による状態不一致を解消するための処理を示すフロー図である。
【発明を実施するための形態】
【００１７】
以下、図面に基づいて本発明の実施の形態を説明する。
【００１８】
以下に開示される実施例では、キャリアアグリゲーションが利用可能な無線通信システムが説明される。キャリアアグリゲーションでは、基地局（ｅｖｏｌｖｅｄ  ＮｏｄｅＢ：ｅＮＢ）は、ユーザ装置（Ｕｓｅｒ  Ｅｑｕｉｐｍｅｎｔ：ＵＥ）との通信接続を維持するためのプライマリセルと、ユーザ装置によるプライマリセルへの接続後に必要に応じて追加されるセカンダリセルとを提供する。基地局は、ユーザ装置に割り当てられたセカンダリセルをアクティブ状態に遷移するようユーザ装置に指示し、当該ユーザ装置から送達確認（ＡＣＫ）を受信すると、当該セカンダリセルがアクティブ状態に遷移したと認識する。しかしながら、当該指示が何らかの理由によりユーザ装置に受信されず、また、ノイズや干渉などにより基地局がユーザ装置からＡＣＫを受信したと判断すると（ＮＡＣＫ／ＤＴＸ→ＡＣＫ誤り）、基地局とユーザ装置との間で当該セカンダリセルのアクティブ状態の不一致が生じる。
【００１９】
後述される実施例では、この不一致を解消するため、基地局は、アクティブ状態のセカンダリセルから定期的、或いは基地局からの指示により送信されるフィードバック情報を所定の期間において監視し、当該期間内に有効なフィードバック情報を受信できなかった場合、当該セカンダリセルはアクティブ状態に遷移しておらず、非アクティブ状態にあると判断する。
【００２０】
すなわち、図４に示されるように、基地局はまず、ユーザ装置に割当てられているセカンダリセルをアクティブ状態に遷移させるためのＭＡＣ  ＣＥを送信する。このとき、通信状態の劣化などの何らかの理由によって、ユーザ装置が当該ＭＡＣ  ＣＥを受信できず、セカンダリセルをアクティブ状態に遷移させなかったとする。さらに、ユーザ装置が当該ＭＡＣ  ＣＥに対してＡＣＫを送信しなかったにもかかわらず、基地局が、ノイズや干渉の影響などによってユーザ装置からＡＣＫを受信したと判断してしまったとする（ＮＡＣＫ／ＤＴＸ→ＡＣＫ誤り）。この場合、基地局は、当該セカンダリセルがアクティブ状態に遷移したと誤認することになり、基地局とユーザ装置との間でセカンダリセルのアクティブ状態の不一致が生じることになる。
【００２１】
この不一致を迅速に解消させるため、基地局は、アクティブ状態のセカンダリセルから定期的に報告されるべきＣＱＩ（Ｃｈａｎｎｅｌ  Ｑｕａｌｉｔｙ  Ｉｎｄｉｃａｔｏｒ）やＳＲＳ（Ｓｏｕｎｄｉｎｇ  Ｒｅｆｅｒｅｎｃｅ  Ｓｙｍｂｏｌ）などのフィードバック情報を所定の期間において監視し、当該期間内にフィードバック情報を受信できなかった場合、又は受信できたとしても当該フィードバック情報が有効なものでなかった場合、当該セカンダリセルがアクティブ状態に遷移しておらず、非アクティブ状態にあると認識を改める。これにより、基地局がアクティブ状態にあると誤認したセカンダリセルにおいて、ユーザ装置に無線リソースをスケジューリングする事態を早期に解消することが可能であり、無線リソースの浪費を回避することが可能である。
【００２２】
まず、図５を参照して、本発明の一実施例による無線通信システムを説明する。図５は、本発明の一実施例による無線通信システムを概略的に示す図である。
【００２３】
図５に示されるように、無線通信システム１０は、例えば、ＬＴＥ−Ａ（Ｌｏｎｇ  Ｔｅｒｍ  Ｅｖｏｌｕｔｉｏｎ  Ａｄｖａｎｃｅｄ）システムなど、キャリアアグリゲーションを利用した無線通信を実現する無線通信システムである。無線通信システム１０は、基地局（ｅＮＢ）１００と、１以上のユーザ装置（ＵＥ）２００とを有する。ユーザ装置２００は、典型的には、図示されるように、携帯電話やスマートフォンなどの無線通信機能を備えた何れか適切なユーザ装置であってもよい。
【００２４】
基地局１００は、ユーザ装置２００と無線接続することによって、通信接続された上位局やサーバ（図示せず）から受信したダウンリンク（ＤＬ）データをユーザ装置２００に送信すると共に、ユーザ装置２００から受信したアップリンク（ＵＬ）データを上位局（図示せず）に送信する。基地局１００は、典型的なハードウェア構成では、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などのメモリ装置、ハードディスク装置などの補助記憶装置、無線信号を通信するための通信装置、上位局、外部のサーバ、オペレータなどと各種データ及び／又は指示をやりとりするためのインタフェース装置などから構成される。後述される基地局１００の各機能は、通信装置及び／又はインタフェース装置を介し補助記憶装置に格納されているデータやプログラムをメモリ装置にロードし、ロードされたプログラムに従ってＣＰＵがデータを処理することによって実現される。
【００２５】
次に、図６を参照して、本発明の一実施例による基地局の構成を説明する。図６は、本発明の一実施例による基地局の構成を示すブロック図である。
【００２６】
図６に示されるように、基地局１００は、ＤＬ信号送信部１１０と、ＵＬ信号受信部１２０と、セル管理部１３０と、フィードバック情報有効性判定部１４０とを有する。
【００２７】
ＤＬ信号送信部１１０は、プライマリセル及び／又はセカンダリセルを介して、データ信号及び／又は制御信号から構成される無線信号をユーザ装置２００に送信する。例えば、ＤＬ信号送信部１１０は、ユーザ装置２００からの要求に応答してサーバから提供されたデータを無線信号に変換し、要求元のユーザ装置２００に送信する。また、ＤＬ信号送信部１１０は、ユーザ装置２００と無線通信するのに必要なスケジューリング情報や各種シグナリングなどの制御情報を無線信号に変換し、ユーザ装置２００に送信する。
【００２８】
ＵＬ信号受信部１２０は、プライマリセル及び／又はセカンダリセルを介して、データ信号及び／又は制御信号から構成される無線信号をユーザ装置２００から受信する。例えば、割り当てられたプライマリセル及び／又はセカンダリセルの無線リソースを利用してユーザ装置２００がデータ信号を送信すると、ＵＬ信号受信部１２０は、受信したデータ信号を送信先のサーバに転送する。また、割り当てられたプライマリセル及び／又はセカンダリセルの無線リソースを利用してユーザ装置２００が制御信号を送信すると、ＵＬ信号受信部１２０は、受信した制御信号を以降の通信に利用したり、及び／又は上位局に転送する。
【００２９】
セル管理部１３０は、基地局１００が提供可能なプライマリセルと１以上のセカンダリセルとを管理する。プライマリセル（Ｐｒｉｍａｒｙ  Ｃｅｌｌ：Ｐｃｅｌｌ）は、ユーザ装置２００との接続性を担保する信頼性の高いセルであり、プライマリセルを変更する場合にはユーザ装置２００はハンドオーバを実行する必要がある。セカンダリセル（Ｓｅｃｏｎｄａｒｙ  Ｃｅｌｌ：Ｓｃｅｌｌ）は、プライマリセルに追加されてユーザ装置２００に設定されるセルである。セカンダリセルの追加及び削除は、ＲＲＣのコンフィギュレーション（ｃｏｎｆｉｇｕｒａｔｉｏｎ）により行われる。
【００３０】
セカンダリセルは、ＲＲＣのコンフィギュレーションによりユーザ装置２００に設定された直後は、非アクティブ状態である。このため、設定されたセカンダリセルを通信可能な状態、すなわち、スケジューリング可能な状態にするには、当該セカンダリセルをアクティブ状態に遷移させる必要がある。例えば、ＬＴＥ−Ａシステムでは、セカンダリセルをアクティブ状態及び非アクティブ状態に遷移させるため、基地局１００は、それぞれＭＡＣレイヤにおいてＭＡＣ  ＣＥをユーザ装置２００に送信することによって、ユーザ装置２００をアクティブ状態／非アクティブ状態に遷移させる。
【００３１】
さらに、セカンダリセルをアクティブ化するためのＭＡＣ  ＣＥを基地局１００から受信すると、ユーザ装置２００は、当該セカンダリセルをアクティブ化すると共に、当該セカンダリセルをタイマ満了時に非アクティブ化するための非アクティブ化タイマであるＳｃｅｌｌ  Ｄｅａｃｔｉｖａｔｉｏｎ  Ｔｉｍｅｒを起動する。他方、基地局１００もまた、ユーザ装置２００からＭＡＣ  ＣＥに対する送達確認（ＡＣＫ）を受信すると、又はユーザ装置２００にＭＡＣ  ＣＥを送信すると、当該セカンダリセルがアクティブ化されていると判断し、Ｓｃｅｌｌ  Ｄｅａｃｔｉｖａｔｉｏｎ  Ｔｉｍｅｒを起動する。すなわち、基地局１００とユーザ装置２００とが、各自のＳｃｅｌｌ  Ｄｅａｃｔｉｖａｔｉｏｎ  Ｔｉｍｅｒを保持し、アクティブ化された当該セカンダリセルの状態を管理する。Ｓｃｅｌｌ  Ｄｅａｃｔｉｖａｔｉｏｎ  Ｔｉｍｅｒの起動後、セル管理部１３０が当該セカンダリセルにおいて新規無線リソースをユーザ装置にスケジューリングすると、セル管理部１３０とユーザ装置２００とは、各自のＳｃｅｌｌ  Ｄｅａｃｔｉｖａｔｉｏｎ  Ｔｉｍｅｒをリセットして再起動する。その後、Ｓｃｅｌｌ  Ｄｅａｃｔｉｖａｔｉｏｎ  Ｔｉｍｅｒが満了するか、又は当該セカンダリセルを非アクティブ化するための明示的な状態移行指示が基地局１００からユーザ装置２００に送信されると、ユーザ装置２００は、当該セカンダリセルを非アクティブ状態に遷移させ、基地局１００もまた、当該セカンダリセルに対して管理しているＳｃｅｌｌ  Ｄｅａｃｔｉｖａｔｉｏｎ  Ｔｉｍｅｒの満了、或いは当該状態移行指示に対するＡＣＫを受信することによって当該セカンダリセルが非アクティブ化されたと認識し、当該セカンダリセルにおけるユーザ装置２００へのスケジューリングをやめる。
【００３２】
セル管理部１３０は、ユーザ装置２００に送信したセカンダリセルをアクティブ化するためのＭＡＣ  ＣＥに対するＡＣＫをユーザ装置２００から受信する（或いはＭＡＣ  ＣＥを送信する）と、ユーザ装置２００から定期的に報告される当該セカンダリセルに対するフィードバック情報を監視する。アクティブ状態のセカンダリセルについては、ユーザ装置２００からＣＱＩやＳＲＳなどのフィードバック情報が定期的に報告されるため、或いは基地局の指示によりフィードバックが報告されるためである。セル管理部１３０は、ユーザ装置２００からＡＣＫを受信して（或いはＭＡＣ  ＣＥを送信して）から所定の期間内に、ユーザ装置２００からフィードバック情報を受信できなかった場合、当該セカンダリセルはアクティブ状態に遷移しておらず、非アクティブ状態であると判断する。
【００３３】
さらに、セル管理部１３０は、当該所定の期間内にセカンダリセルからフィードバック情報を受信した場合、受信したフィードバック情報をフィードバック情報有効性判定部１４０に送信し、当該フィードバック情報がノイズや干渉などでなく、有効なフィードバック情報であるか判定させる。当該フィードバック情報が有効であるとフィードバック情報有効性判定部１４０が判定すると、セル管理部１３０は、当該セカンダリセルはアクティブ状態であると判断し、基地局１００とユーザ装置２００との間で当該セカンダリセルの状態は一致していると判断する。他方、当該フィードバック情報が有効なものでないとフィードバック情報有効性判定部１４０が判定すると、セル管理部１３０は、所定の期間が経過するまで、さらなるフィードバック情報の監視を継続する。このようにして、セル管理部１３０は、セカンダリセルからのフィードバック情報を所定の期間において監視し、フィードバック情報有効性判定部１４０によって有効と判定されたフィードバック情報が当該所定の期間内に受信できなかった場合、当該セカンダリセルが非アクティブ状態であると判断する。
【００３４】
セカンダリセルが非アクティブ状態であると判断すると、セル管理部１３０は、Ｓｃｅｌｌ  Ｄｅａｃｔｉｖａｔｉｏｎ  Ｔｉｍｅｒを停止するか、セカンダリセルに対してアクティブ化の指示を再度行うか、及び／又はセカンダリセルに対して非アクティブ化の指示を行うようにしてもよい。
【００３５】
この所定の期間は、例えば、セカンダリセルがアクティブ状態であった場合にフィードバック情報を報告する頻度に応じて設定されてもよい。一例として、当該所定の期間は、フィードバック情報の所定回の報告機会に対応する期間に設定されてもよい。なお、当該期間が短く設定されるほど、より早期に基地局１００とユーザ装置２００との間の状態不一致を解消できる。その一方、当該期間が短く設定された場合には、基地局１００からの状態移行指示に応答してセカンダリセルがアクティブ状態に適切に遷移していたとしても、すなわち、基地局１００とユーザ装置２００との間でセカンダリセルの状態認識が一致していたとしても、当該期間内における通信状態の劣化によって一時的にフィードバック情報が受信失敗したことによって、セル管理部１３０が、適切にアクティブ状態に遷移したセカンダリセルを非アクティブ状態と誤認し、状態不一致を生じさせてしまう可能性がある。他方、当該期間が長く設定される場合、このような誤認の可能性は軽減できるが、基地局１００におけるＮＡＣＫ/ＤＴＸ→ＡＣＫ誤りによる基地局１００とユーザ装置２００との間の状態不一致を迅速に解消させることができなくなる。従って、適切にアクティブ状態に遷移したセカンダリセルを非アクティブ状態として誤認してしまう前者のケースと、ＮＡＣＫ／ＤＴＸ→ＡＣＫ誤りによる誤認を長期化してしまう後者のケースとのバランスを考慮して、所定の期間が設定されることが好ましい。例えば、前者のケースを回避するため、セル管理部１３０は、当該セカンダリセルが非アクティブ状態であると判定すると、当該セカンダリセルを非アクティブ化するためのＭＡＣ  ＣＥをユーザ装置２００に送信し、基地局１００とユーザ装置２００との間の当該セカンダリセルの状態一致を図るようにしてもよい。あるいは、セル管理部１３０は、セカンダリセルが非アクティブ状態であると判定すると、当該セカンダリセルをアクティブ化するためのＭＡＣ  ＣＥをユーザ装置２００に再送し、当該セカンダリセルのアクティブ化を再度試みてもよい。
【００３６】
フィードバック情報有効性判定部１４０は、ユーザ装置２００から受信したフィードバック情報が有効であるか判定する。この有効性判定は、フィードバック情報自体の内容の良否に基づくものでなく、当該フィードバック情報がノイズや干渉などでなく、ユーザ装置２００からフィードバックのために送信されたものであるか否かに基づくものである。具体的には、フィードバック情報がセカンダリセルのチャネル状態情報（ＣＱＩなど）である場合、フィードバック情報有効性判定部１４０は、当該チャネル状態情報の良否に基づきフィードバック情報の有効性を判定するのでなく、ＵＬ信号受信部１２０における当該チャネル状態情報の受信電力やＳＩＲ（Ｓｉｇｎａｌ  ｔｏ  Ｉｎｔｅｒｆｅｒｅｎｃｅ  Ｒａｔｉｏ）などの受信電力状態に基づきフィードバック情報の有効性を判定する。すなわち、フィードバック情報の受信電力状態を示す指標（受信電力レベルやＳＩＲ値など）が所定の閾値より高い場合、フィードバック情報有効性判定部１４０は、当該フィードバック情報を有効であると判定し、そうでない場合、当該フィードバック情報を有効でないと判定してもよい。このため、ユーザ装置２００から受信したチャネル状態情報の値が良好なチャネル状態を示す値の範囲外であったとしても、受信したフィードバック情報の受信電力状態がノイズでないと信頼できる受信電力レベルである限り、フィードバック情報有効性判定部１４０は、当該フィードバック情報を有効であると判定することになる。セル管理部１３０から受信したフィードバック情報の有効性判定の実行後、フィードバック情報有効性判定部１４０は、当該フィードバック情報の有効性の判定結果をセル管理部１３０に通知する。
【００３７】
次に、図７を参照して、本発明の一実施例によるセカンダリセルの状態不一致を解消するための処理を説明する。図７は、本発明の一実施例による状態不一致を解消するための処理を示すフロー図である。
【００３８】
図７に示されるように、ステップＳ１０１において、セル管理部１３０は、ユーザ装置２００に設定されているセカンダリセルをアクティブ化するよう指示する。例えば、セル管理部１３０は、当該セカンダリセルをアクティブ化するためのＭＡＣ  ＣＥをユーザ装置２００に送信するようＤＬ信号送信部１１０に指示し、当該ＭＡＣ  ＣＥに対してＡＣＫを受信した（あるいは当該ＭＡＣ  ＣＥを送信した）ことによって、当該セカンダリセルがアクティブ化されたと判断する。
【００３９】
ステップＳ１０２において、セル管理部１３０は、当該セカンダリセルにおいて所定の期間内にユーザ装置２００からフィードバック情報を受信したか判断する。所定の期間内にフィードバック情報を受信した場合（Ｓ１０２：ＹＥＳ）、当該フローはステップＳ１０３に移行し、セル管理部１３０は、受信したフィードバック情報が有効なものであるかフィードバック情報有効性判定部１４０に判定させる。他方、所定の期間内にフィードバック情報を受信しなかった場合（Ｓ１０２：ＮＯ）、当該フローはステップＳ１０５に移行し、セル管理部１３０は、当該セカンダリセルがアクティブ状態に遷移しておらず、非アクティブ状態であると判断する。この場合、セル管理部１３０は、Ｓｃｅｌｌ  Ｄｅａｃｔｉｖａｔｉｏｎ  Ｔｉｍｅｒを停止するか、セカンダリセルに対してアクティブ化の指示を再度行うか、及び／又はセカンダリセルに対して非アクティブ化の指示を行うようにしてもよい。
【００４０】
ステップＳ１０３において、フィードバック情報有効性判定部１４０は、セル管理部１３０から受信したフィードバック情報が有効であるか判断する。具体的には、フィードバック情報有効性判定部１４０は、ＵＬ信号受信部１２０における当該フィードバック情報の受信電力やＳＩＲなどの受信電力状態に基づき、当該フィードバック情報の有効性を判定する。当該フィードバック情報が有効なものである場合（Ｓ１０３：ＹＥＳ）、当該フローはステップＳ１０４に移行し、セル管理部１３０は、当該セカンダリセルがアクティブ状態であると判断する。他方、当該フィードバック情報が有効なものでない場合（Ｓ１０３：ＮＯ）、当該フローはステップＳ１０２に戻り、セル管理部１３０は、有効なフィードバック情報を受信するまで、当該セカンダリセルから受信するフィードバック情報を所定の期間において監視する。
【００４１】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００４２】
１０  無線通信システム
１００  基地局
１１０  ＤＬ信号送信部
１２０  ＵＬ信号受信部
１３０  セル管理部
１４０  フィードバック情報有効性判定部
２００  ユーザ装置
【図１】
2014053726.tif 000003
【図２】
2014053726.tif 000004
【図３】
2014053726.tif 000005
【図４】
2014053726.tif 000006
【図５】
2014053726.tif 000007
【図６】
2014053726.tif 000008
【図７】
2014053726.tif 000009